(57)【特許請求の範囲】
【請求項１】
液滴を吐出する複数のノズルと各ノズルに対応して設けられた複数の吐出エネルギー発生素子とを有する液体吐出ヘッドの前記吐出エネルギー発生素子に駆動電圧信号を供給して前記ノズルから液滴を吐出させる液体吐出ヘッドの駆動装置であって、
前記駆動電圧信号の基になる駆動波形信号を生成する駆動波形生成手段と、
前記駆動波形信号を電力増幅して前記駆動電圧信号を出力する複数の電力増幅回路と、
前記複数の電力増幅回路のそれぞれに電源電圧を供給するために、前記複数の電力増幅回路のそれぞれに１つ又は複数設けられた予備電源回路と、を備え、
前記液体吐出ヘッドは、複数個のヘッドモジュールを組み合わせて構成されたフルライン型ヘッドであり、
前記液体吐出ヘッドに設けられた前記複数のノズルは、前記ヘッドモジュール毎に１又は複数のノズル群に区分けされており、
各ノズル群に対応したブロック毎に、そのブロックに属する吐出エネルギー発生素子に印加する駆動電圧信号を出力するための前記駆動波形生成手段と前記電力増幅回路と前記予備電源回路とが設置されており、
前記電力増幅回路は、プッシュプル接続されたトランジスタ対から構成され、
前記予備電源回路は、前記トランジスタ対を構成する第１トランジスタのコレクタに充電元電位予備調整信号を供給する回路、及び前記トランジスタ対を構成する第２トランジスタのコレクタに放電先電位予備調整信号を供給する回路のうち少なくとも一方であり、
前記予備電源回路は、パルス信号を電力増幅するデジタル電力増幅回路と、当該デジタル電力増幅回路で電力増幅された信号を平滑化する平滑回路と、を含み、
複数の前記予備電源回路に対して共通に供給される前記パルス信号を生成するパルス化変調回路及びゲートドライバ回路が設けられていることを特徴とする液体吐出ヘッドの駆
動装置。
【請求項２】
請求項１において、
前記吐出エネルギー発生素子は、容量性負荷であり、
前記予備電源回路として、前記電力増幅回路毎に、前記トランジスタ対を構成する第１トランジスタのコレクタに印加する前記充電元電位予備調整信号である第１電源電圧を供給する第１予備電源回路と、前記トランジスタ対を構成する第２トランジスタのコレクタに印加する前記放電先電位予備調整信号である第２電源電圧を供給する第２予備電源回路と、が設置されていることを特徴とする液体吐出ヘッドの駆動装置。
【請求項３】
請求項１又は２において、
複数の前記予備電源回路に接続され、これら複数の予備電源回路に対して共通に直流電源電圧を供給する主電源回路を備えることを特徴とする液体吐出ヘッドの駆動装置。
【請求項４】
請求項１乃至３のいずれか１項において、
前記液体吐出ヘッドは、前記複数のノズル群に対して同一の液体が供給され、各ノズルから同一の液体が吐出されるものであることを特徴とする液体吐出ヘッドの駆動装置。
【請求項５】
請求項１乃至４のいずれか１項において、
前記ヘッドモジュールは、前記液滴を付着させる記録媒体の送り方向に複数のブロックに区分けされていることを特徴とする液体吐出ヘッドの駆動装置。
【請求項６】
請求項１乃至５のいずれか１項に記載の液体吐出ヘッドの駆動装置と、
前記液体吐出ヘッドと、
を備えたことを特徴とする液体吐出装置。
【請求項７】
請求項６に記載の液体吐出装置と、
前記液体吐出ヘッドから吐出された液滴を付着させる記録媒体を前記液体吐出ヘッドに対して相対移動させる移動手段と、
を備え、前記付着させた液滴によって前記記録媒体上に画像を形成することを特徴とするインクジェット記録装置。
【発明の詳細な説明】
【技術分野】
【０００１】
本発明は液体吐出ヘッドの駆動装置、液体吐出装置、及びインクジェット記録装置に係り、特に、複数のノズル（液滴の吐出口）を有するインクジェット方式の液体吐出ヘッドにおける各ノズルに対応した圧電素子等の吐出エネルギー発生素子を駆動するのに好適な駆動回路の構成及びこれを用いた液体吐出装置、並びにインクジェット記録装置に関する。
【背景技術】
【０００２】
インクジェット方式の画像記録装置（インクジェト記録装置）は、複数のノズルを有する記録ヘッドと記録媒体とを相対移動させ、ノズルから液滴を吐出することによって、記録媒体上に所望の画像を形成することができる（特許文献１〜３）。かかるインクジェット記録において、高い描画解像度と高生産性を実現するために、複数のノズル（吐出素子）を用紙幅にわたって配列させたラインヘッドを用いる構成、或いは、複数の吐出素子
を有するヘッドモジュールを複数個連結させる構成、若しくは、複数のヘッドモジュール（サブヘッド）を用紙幅方向（以下「ｘ方向」とする。）に並べて用紙幅の全描画領域をカバーする長尺のヘッド（ページワイドヘッド、或いはフルライン型ヘッドと呼ばれる）を構成し、かかる長尺ヘッドと用紙とをｘ方向に直交する方向（以下「ｙ方向」とする。）に１回だけ相対走査を行うことにより、当該用紙上に画像を形成するインクジェット描画方式（シングルパス方式）が知られている。
【０００３】
このようなマルチノズルヘッドを用いる場合、駆動するヘッドの吐出素子数が多いため、供給する電流も大きい。仮に、各駆動回路へ供給する電源を一律に、固定の電源より供給した場合、駆動波形を生成するときに生じる駆動電圧への電圧降下分のロスにより、回路素子の発熱及び消費電力が大きくなってしまう。
【０００４】
この対策として、特許文献１では、ヘッド素子（吐出素子）を駆動するための駆動回路における出力段のプッシュプル回路に供給する充電電源及び放電電源の電位を、それぞれ出力電圧との電位差が小さくなるように設定し、これによりトランジスタ等の不飽和領域で使用するために生じる電力ロスを抑え、発熱及び消費電力を低減する方法が提案されている。すなわち、特許文献１は、ノズルから液滴を吐出させる吐出エネルギー発生手段として、充放電型アクチュエータ（圧電素子）を用いる構成において、消費電力を低減するために、アクチュエータ駆動回路の出力段プッシュプル回路の充放電電位を予備調整する回路構成を提案している。
【０００５】
アクチュエータ駆動回路のプッシュププルトランジスタのコレクタに出力する充放電電源を各電位より高く、或いは低く予備調整して設定し、充電元と放電先との電位差を電源電位と接地電位との電位差より小さくすることで消費電力を低減している。具体的な回路構成としては、予備調整波形信号を生成し、パルス変調、デジタル電力増幅及び平滑フィルタより構成される。予備調整信号の電圧値、又は位相を調整することにより、充電元／放電先電位予備調整波形信号を生成する。
【０００６】
特許文献２は、補助駆動信号を生成し、主トランジスタ対に印加する補助駆動信号生成部（Ｄ級アンプ）を備え、駆動回路のＮＰＮトランジスタのエミッタ電位より所定電位だけ高く、或いはＰＮＰトランジスタのエミッタ電位より所定電位だけ低くなるように、かつ、主駆動信号の電位上昇時及び電圧降下時よりも所定時間速いタイミングで電圧上昇及び電圧降下を開始する補助駆動信号を生成する特徴を持つ駆動回路を提案している。
【０００７】
特許文献３は、特許文献２と類似する構成であり、ＮＰＮトランジスタに印加する第1の補助駆動信号が、主駆動信号の電位上昇よりも所定時間速いタイミングで電位上昇が開始され、電位降下時よりも所定時間遅いタイミングで電位降下が開始される。また、ＰＮＰトランジスタに印加する第2の補助駆動信号が、主駆動信号の電位上昇よりも所定時間遅いタイミングで電位上昇が開始され、電位降下時よりも所定時間早いタイミングで電位降下が開始される。当該構成においては、駆動信号のパルスを予備電源の変調信号に利用している。
【先行技術文献】
【特許文献】
【０００８】
【特許文献１】特開２００９−６１６７１号公報
【特許文献２】特開２００９−１７８９２３号公報
【特許文献３】特開２００９−１７８９２４号公報
【発明の概要】
【発明が解決しようとする課題】
【０００９】
しかしながら、ヘッドにおけるノズルは、個々のノズルに対応した吐出エネルギー発生素子（ピエゾ素子）に特性のバラツキが存在するため、複数の吐出素子に対して同じ駆動電圧（駆動信号）を印加してもインクの打滴状態に差異が生じてしまう。その結果、インクの着弾位置、着弾形状、メディアへの浸透性など、画質の均一性を損なう影響を与える要因となってしまう懸念がある。その対策として、ヘッドのノズル毎に駆動波形を調整してヘッド素子間のバラツキを補正する方法が知られている。しかし、このバラツキは、一般的に同一ヘッドモジュール内よりも、異なるヘッドモジュール間での差異の方が大きい。
【００１０】
更に、紙幅をカバーするラインヘッドや、複数のモジュール（素子列）を連結、又は並べた形でヘッドを構成して使用する場合、ヘッド上におけるノズル位置（吐出要素の位置）が駆動電圧を供給する回路から距離的に異なるため、素子毎の特性を補正するだけでは、十分な補正がなされず、吐出状態にバラツキが生じてしまう。このようなヘッド素子のモジュール毎のバラツキ、及びノズルの配置等に起因する吐出バラツキを抑えるために、モジュール毎、或いは、ブロック毎（ノズル群のグループ毎）に駆動波形を調整（補正）することが望ましい。
【００１１】
特許文献１等で提案されている構成では、複数のプッシュプル回路に電源電圧を供給する電源回路は共通であり、モジュール毎（ブロック毎）に分かれていないため、下記の問題点が懸念される。
（１）ヘッド素子数が多い場合、予備電源の供給能力が不足してしまい、電源が変動し、駆動波形が変動してしまう（ノイズが発生する）。
（２）上記（１）の懸念を回避するためには、予備電源（Ｄ級アンプ）の回路自体が大型になってしまう。
（３）駆動回路から遠い位置にあるモジュール（素子）に対しては、電圧降下やノイズが重畳する等の問題がある。
（４）複数のヘッドモジュールを使用する場合、モジュール毎に設定電圧が異なるため、一律の電源電圧では十分な消費電力低減効果が望めない。
【００１２】
本発明はこのような事情に鑑みてなされたものであり、供給電源の安定化並びに素子間の吐出特性のバラツキを抑える適切な駆動電圧の供給が可能な液体吐出ヘッドの駆動装置及びこれを適用した液体吐出装置並びにインクジェット記録装置を提供することを目的とする。
【課題を解決するための手段】
【００１３】
前記目的を達成するために、本発明に係る液体吐出ヘッドの駆動装置は、液滴を吐出する複数のノズルと各ノズルに対応して設けられた複数の吐出エネルギー発生素子とを有する液体吐出ヘッドの前記吐出エネルギー発生素子に駆動電圧信号を供給して前記ノズルから液滴を吐出させる液体吐出ヘッドの駆動装置であって、前記駆動電圧信号の基になる駆動波形信号を生成する駆動波形生成手段と、前記駆動波形信号を電力増幅して前記駆動電圧信号を出力する複数の電力増幅回路と、前記複数の電力増幅回路のそれぞれに電源電圧を供給するために、前記複数の電力増幅回路のそれぞれに１つ又は複数設けられた予備電源回路と、を備え、前記液体吐出ヘッドは、複数個のヘッドモジュールを組み合わせて構成されたフルライン型ヘッドであり、前記液体吐出ヘッドに設けられた前記複数のノズルは、前記ヘッドモジュール毎に１又は複数のノズル群に区分けされており、各ノズル群に対応したブロック毎に、そのブロックに属する吐出エネルギー発生素子に印加する駆動電圧信号を出力するための前記駆動波形生成手段と前記電力増幅回路と前記予備電源回路とが設置されており、前記電力増幅回路は、プッシュプル接続されたトランジスタ対から構成され、前記予備電源回路は、前記トランジスタ対を構成する第１トランジスタのコレクタに充電元電位予備調整信号を供給する回路、及び前記トランジスタ対を構成する第２トランジスタのコレクタに放電先電位予備調整信号を供給する回路のうち少なくとも一方であり、前記予備電源回路は、パルス信号を電力増幅するデジタル電力増幅回路と、当該デジタル電力増幅回路で電力増幅された信号を平滑化する平滑回路と、を含み、複数の前記予備電源回路に対して共通に供給される前記パルス信号を生成するパルス化変調回路及びゲートドライバ回路が設けられていることを特徴とする。
また、前記目的を達成するために以下の発明態様を提供する。
【００１４】
（発明１）：発明１に係る液体吐出ヘッドの駆動装置は、液滴を吐出する複数のノズルと各ノズルに対応して設けられた複数の吐出エネルギー発生素子とを有する液体吐出ヘッドの前記吐出エネルギー発生素子に駆動電圧信号を供給して前記ノズルから液滴を吐出させる液体吐出ヘッドの駆動装置であって、前記駆動電圧信号の基になる駆動波形信号を生成する駆動波形生成手段と、前記駆動波形信号を電力増幅して前記駆動電圧信号を出力する複数の電力増幅回路と、前記複数の電力増幅回路のそれぞれに電源電圧を供給するために、前記電力増幅回路毎に設けられた複数の予備電源回路と、を備え、前記液体吐出ヘッドに設けられた前記複数のノズルは、複数のノズル群に区分けされており、各ノズル群に対応したブロック毎に、そのブロックに属する吐出エネルギー発生素子に印加する駆動電圧信号を出力するための前記電力増幅回路及び前記予備電源回路が設置されていることを特徴とする。
【００１５】
本発明によれば、多数のノズルを有するヘッドであっても、ブロック毎に安定した電力供給が可能である。また、ブロック毎の吐出特性に合わせて、ブロック単位で適切な駆動電圧の設定が可能であり、素子間の特性のバラツキを抑えることが可能である。
【００１６】
駆動波形生成手段は、ブロック毎に設ける態様が好ましいが、複数のブロックに対して共通に使用される駆動波形生成手段を備える構成も可能である。
【００１７】
（発明２）：発明２に係る液体吐出ヘッドの駆動装置は、発明１において、前記吐出エネルギー発生素子は、容量性負荷であり、前記電力増幅回路は、プッシュプル接続されたトランジスタ対から構成され、前記予備電源回路として、前記電力増幅回路毎に、前記トランジスタ対を構成する第１トランジスタに印加する第１電源電圧を供給する第１予備電源回路と、前記トランジスタ対を構成する第２トランジスタに印加する第２電源電圧を供給する第２予備電源回路と、が設置されていることを特徴とする。
【００１８】
かかる態様によれば、プッシュプル回路に供給する充電電源の電位と、放電電源の電位を、ブロック単位で適切に調整することができる。ブロック毎の駆動波形電圧に最適な電位をブロック毎に設定して、出力電圧との電位差を小さくすることにより、消費電力の抑制を図ることができる。
【００１９】
（発明３）：発明３に係る液体吐出ヘッドの駆動装置は、発明１又は２において、前記複数の予備電源回路に接続され、これら複数の予備電源回路に対して共通に直流電源電圧を供給する主電源回路を備えることを特徴とする。
【００２０】
主電源回路を共通化しつつ、各電力増幅回路（駆動回路）に対して給電する予備電源回路をブロック毎に設けたことにより、電源容量の不足を解消することができるとともに、予備電源回路を吐出エネルギー発生素子の近くに配置することが可能となり、駆動電源の安定供給が可能である。
【００２１】
（発明４）：発明４に係る液体吐出ヘッドの駆動装置は、発明１乃至３のいずれか１項において、前記予備電源回路は、パルス信号を電力増幅するデジタル電力増幅回路と、当該デジタル電力増幅回路で電力増幅された信号を平滑化する平滑回路と、を含んで構成されることを特徴とする。
【００２２】
予備電源回路として、Ｄ級アンプ電源の構成を採用することができる。
【００２３】
（発明５）：発明５に係る液体吐出ヘッドの駆動装置は、発明４において、前記ブロック毎に設けられた前記各予備電源回路には、パルス化変調回路及びゲートドライバ回路が含まれていることを特徴とする。
【００２４】
かかる態様によれば、ブロック毎に予備電源の電位を個々に調整することができる。
【００２５】
（発明６）：発明６に係る液体吐出ヘッドの駆動装置は、発明４において、前記複数の予備電源回路に対して共通に供給される前記パルス信号を生成するパルス化変調回路及びゲートドライバ回路が設けられていることを特徴とする。
【００２６】
パルス化変調回路及びゲートドライバ回路を共通化することにより、回路部品の削減が可能である。
【００２７】
（発明７）：発明７に係る液体吐出ヘッドの駆動装置は、発明１乃至３のいずれか１項において、前記予備電源回路として、ＤＣ／ＤＣコンバータが用いられることを特徴とする。
【００２８】
ＤＣ／ＤＣコンバータは、Ｄ級アンプ電源回路に比べて、より大きな電流を取り出すことができる。
【００２９】
（発明８）：発明８に係る液体吐出ヘッドの駆動装置は、発明１乃至７のいずれか１項において、前記液体吐出ヘッドは、前記複数のノズル群に対して同一の液体が供給され、各ノズルから同一の液体が吐出されるものであることを特徴とする。
【００３０】
例えば、用紙幅にわたって同一色のインクを吐出するラインヘッドなどの駆動装置として好適である。
【００３１】
（発明９）：発明９に係る液体吐出装置は、発明１乃至８のいずれか１項に記載の液体吐出ヘッドの駆動装置と、前記液体吐出ヘッドと、を備えたことを特徴とする。
【００３２】
（発明１０）：発明１０に係る液体吐出装置は、発明９において、前記液体吐出ヘッドは、複数個のヘッドモジュールを組み合わせて構成され、ヘッドモジュール毎に１又は複数のブロックに区分けされていることを特徴とする。
【００３３】
（発明１１）：発明１１に係るインクジェット記録装置は、発明９又は１０に記載の液体吐出装置と、前記液体吐出ヘッドから吐出された液滴を付着させる記録媒体を前記液体吐出ヘッドに対して相対移動させる移動手段と、を備え、前記付着させた液滴によって前記記録媒体上に画像を形成することを特徴とする。
【００３４】
記録媒体は、印字媒体、被画像形成媒体、被記録媒体、受像媒体、非描画媒体など呼ばれ得るものであり、連続用紙、カット紙、シール用紙、布、繊維シート、樹脂シート、その他材質や形状を問わず、様々な媒体を含む。
【００３５】
記録媒体と液体吐出ヘッドを相対的に移動させる手段は、停止した記録媒体に対してヘッドを移動させる態様、停止した（固定された）ヘッドに対して記録媒体を搬送する態様、或いは、ヘッドと記録媒体の両方を移動させる態様の何れをも含む。
【００３６】
なお、液体吐出ヘッドを用いてカラー画像を形成する場合は、複数色のインク（記録液）の色別にプリントヘッドを配置してもよいし、１つのプリントヘッドから複数色のインクを吐出可能な構成としてもよい。
【発明の効果】
【００３７】
本発明によれば、ブロック毎に設けられた各電力増幅回路は、それぞれ該当するブロックに属する複数個の吐出エネルギー発生素子に対して駆動電圧を供給するが、各電力増幅回路に対してそれぞれ個々に予備電源回路が設けられているため、供給電源の安定化を達成できる。これにより、電源変動による駆動波形変動（ノイズ発生）を防止することができ、適切な駆動電圧信号を提供することができる。
【図面の簡単な説明】
【００３８】
【図１】本発明の第１実施形態に係る液体吐出ヘッドの駆動装置が適用された液体吐出装置の構成を示すブロック図
【図２】図１に示した１モジュール分の駆動回路の構成例を示す回路図
【図３】図１に示したヘッド駆動装置を制御する制御部を含んだ予備電源生成回路の構成例を示す図
【図４】図１に示したヘッド駆動装置を制御する制御部を含んだ予備電源生成回路の他の構成例を示す図
【図５】本発明の第２実施形態に係る液体吐出ヘッドの駆動装置が適用された液体吐出装置の構成を示すブロック図
【図６】本発明の第３実施形態に係る液体吐出ヘッドの駆動装置が適用された液体吐出装置の構成を示すブロック図
【図７】本発明の実施形態に係るインクジェット記録装置の構成図
【図８】インクジェットヘッドの構成例を示す斜視図
【図９】インクジェットヘッドを構成するヘッドモジュールのノズル面の平面図
【図１０】ノズルに対応したインク室ユニット（液滴吐出素子）の拡大平面透視図
【図１１】液滴吐出素子（１ノズル分）の立体的構造を示す断面図
【図１２】ヘッドモジュールにおける圧電アクチュエータの個別電極の配線パターンを模式的に描いた平面図
【図１３】ヘッドモジュールにおけるブロック分けの例を示す平面図
【図１４】インクジェット記録装置の制御系の構成を示すブロック図
【発明を実施するための形態】
【００３９】
以下、添付図面に従って本発明の実施形態について詳細に説明する。
【００４０】
＜第1実施形態＞
図１は本発明の第１実施形態に係る液体吐出ヘッドの駆動装置が適用された液体吐出装置の構成を示すブロック図である。液体吐出ヘッドとしてのインクジェットヘッド１０（以下、単に「ヘッド」という場合がある）は、複数のヘッドモジュール１２Ａ、１２Ｂ、１２Ｃ、１２Ｄを並べて長尺化したフルライン型ヘッド（ページワイドヘッド）である。ここでは、４つのヘッドモジュール１２Ａ〜１２Ｄを示しているが、１つのページワイドヘッド（ヘッドバー）を構成するために用いるヘッドモジュールの個数やモジュールの配列形態は特に限定されない。
【００４１】
各ヘッドモジュール１２Ａ〜１２Ｄは、複数のノズル（インク吐出口）と、各ノズルに対応した圧力室及び圧電アクチュエータ（「吐出エネルギー発生素子」に相当）等を備えている。インクジェットヘッド１０の各圧電アクチュエータを駆動するためのヘッド駆動装置２０（アクチュエータ駆動回路）は、ヘッドモジュール１２Ａ〜１２Ｄ毎に設けられた駆動回路２２Ａ〜２２Ｄと、各駆動回路２２Ａ〜２２Ｄにそれぞれ対応して設けられたＤ級アンプ電源２４Ａ〜２４Ｄ（「予備電源回路」に相当）と、各Ｄ級アンプ電源２４Ａ〜２４Ｄに対して共通に直流電源電圧を供給する供給ＤＣ電源２６（「主電源回路」に相当）と、各駆動回路２２Ａ〜２２Ｄに対して、駆動電圧信号の基になる駆動波形を供給する駆動波形生成回路２８（「駆動波形生成手段」に相当）と、を備える。Ｄ級アンプ電源２４Ａ〜２４Ｄは、ヘッドモジュール１２Ａ〜１２Ｄ毎に設置された駆動回路２２Ａ〜２２Ｄに対する予備電源回路として機能する。
【００４２】
駆動波形生成回路２８は、例えば、波形データメモリと、Ｄ／Ａ変換器とを含んで構成される。波形データメモリには、圧電アクチュエータを駆動するための駆動電圧波形のデジタルデータが記憶される。波形データメモリに保存されているデジタル波形データはＤ／Ａ変換器によってアナログ波形信号へと変換される。
【００４３】
カラー画像を形成するインクジェトプリンタにおいて、例えば、シアン（Ｃ）、マゼンタ（Ｍ）、イエロー（Ｙ）、黒（Ｋ）の４色のインクを用いる場合、各色のインクを吐出するために、色別にインクジェットヘッドが設置される。各インク色に対応するインクジェットヘッドについて、それぞれ図１に示す構成が採用される。
【００４４】
図２は、図１に示した１モジュール分の駆動回路の構成例である。各ヘッドモジュール１２Ａ〜１２Ｄについて、それぞれ同様の構成が採用されるため、図２では、ここでは、ヘッドモジュール１２Ａについて図示する。他のヘッドモジュール１２Ｂ〜１２Ｄについても同様の構成である。
【００４５】
駆動回路２２Ａは、駆動波形生成回路２８から出力される駆動波形を増幅する増幅回路３２と、プッシュプル接続されたトランジスタＴｒ１、Ｔｒ２の対から成る電力増幅回路３４を含む。
【００４６】
電力増幅回路３４を構成するトランジスタＴｒ１のコレクタには、充電電源用の予備電源回路として機能する第１のＤ級アンプ電源回路２４_Ｈから充電元電位予備調整信号が供給される。第１のＤ級アンプ電源回路２４_Ｈは、パルス化変調回路４２と、ゲートドライバ回路４４と、デジタル電力増幅回路４６と、平滑回路４８とを含んで構成される。パルス化変調回路４２にはコンパレータが用いられ、三角波信号とアナログ駆動波形信号とが入力される。
【００４７】
パルス化変調回路４２に入力されたこれら信号が比較され、比較結果に応じたパルスデューティを有するパルス信号（パルス変調信号）が生成される。
【００４８】
パルス化変調回路４２から出力されたパルス変調信号はゲートドライバ回路４４を通じてデジタル電力増幅回路４６で増幅される。デジタル電力増幅回路４６は、プッシュプル接続された接合電界効果トランジスタ（ＪＦＥＴ）Ｔｒ３、Ｔｒ４を含んで構成される。トランジスタＴｒ３のドレインには図１の符号２６で説明した供給ＤＣ電源が接続される。
デジタル電力増幅回路４６で電力増幅されたパルス変調信号（デジタル信号）は平滑回路４８で平滑化され、駆動回路２２ＡのトランジスタＴｒ１のコレクタに供給される。なお、平滑回路４８には、コイルとコンデンサとの組み合わせから成る平滑フィルタ（ＬＣローパスフィルタ）が用いられる。平滑回路４８は、トランジスタＴｒ３、Ｔｒ４対の出力信号の高周波成分（パルス変調の搬送波成分等）を除去する。
【００４９】
本実施形態では、第１のＤ級アンプ電源回路２４_Ｈの平滑回路４８から駆動回路２２ＡのトランジスタＴｒ１のコレクタに供給される充電元電位予備調整信号の電位を、トランジスタＴｒ１、Ｔｒ２のエミッタより出力される駆動信号の電位よりも少しだけ高くなるように調整される（特許文献１参照）。
【００５０】
また、駆動回路２２ＡのトランジスタＴｒ２のコレクタには、放電電源用の予備電源回路として機能する第２のＤ級アンプ電源回路２４_Ｌが接続されている。第２のＤ級アンプ電源回路２４_Ｌは、第１のＤ級アンプ電源回路２４_Ｈと同様の構成を有し、パルス化変調回路５２、ゲートドライバ回路５４、デジタル電力増幅回路５６、及び平滑回路５８を含んで構成され、トランジスタＴｒ２から放電する先の電位を調整する。デジタル電力増幅回路５６は、接合電界効果トランジスタ（ＪＦＥＴ）Ｔｒ５、Ｔｒ６をプッシュプル型に組み合わせたものであり、トランジスタＴｒ５のドレインには図１の符号２６で説明した供給ＤＣ電源が接続される。
【００５１】
第２のＤ級アンプ電源回路２４_Ｌのデジタル電力増幅回路５６で電力増幅されたパルス変調信号は平滑回路５８で平滑化され、駆動回路２２ＡのトランジスタＴｒ２のコレクタに供給される。本実施形態では、第２のＤ級アンプ電源回路２４_Ｌの平滑回路５８から駆動回路２２ＡのトランジスタＴｒ２のコレクタに供給される放電先電位予備調整信号の電位を、トランジスタＴｒ１、Ｔｒのエミッタより出力される駆動信号の電位よりも少しだけ低くなるように調整される（特許文献１参照）。
【００５２】
駆動回路２２Ａの出力段におけるトランジスタＴｒ１、Ｔｒ２のエミッタは、ノズル選択用のスイッチＩＣ６０の入力側に接続される。スイッチＩＣ６０内の各スイッチ素子６２はそれぞれヘッドモジュール１２Ａの各ノズルに対応する圧電アクチュエータ７０の個別電極７２に接続される。スイッチ素子６２は、各圧電アクチュエータ７０に対する駆動電圧の供給（ＯＮ）／遮断（ＯＦＦ）を切り替えるスイッチであり、画像データ（印刷用のドットデータ）に基づきＯＮ／ＯＦＦが制御される。
【００５３】
プリント時には画像データに基づきスイッチ素子６２がＯＮ／ＯＦＦ制御され、スイッチ素子６２がオンしたときに、これに対応する圧電アクチュエータ７０に対して駆動電圧信号（例えば、＋３０Ｖ）が印加される。このように、スイッチ素子６２のＯＮ／ＯＦＦを制御することで、各圧電アクチュエータ７０に対して選択的に駆動電圧を印加することができる。
【００５４】
図２では、充電電源側の予備電源回路（第１のＤ級アンプ電源回路２４_Ｈ）と放電電源側の予備電源回路（第２のＤ級アンプ電源回路２４_Ｌ）を両方備える例を示したが、いずれか一方を省略する形態も可能である。図１に示したＤ級アンプ電源回路２４Ａ〜２４Ｄは、図２で説明した第１のＤ級アンプ電源回路２４_Ｈ、第２のＤ級アンプ電源回路２４_Ｌのうち少なくとも一方を含むものである。
【００５５】
図３は、図１で説明したヘッド駆動装置２０を制御する制御部を含んだ予備電源生成回路の回路構成図である。図３では、図２で説明した１モジュール分の駆動回路２２Ａ及びその予備電源回路２４_Ｈ、２４_Ｌについて図示した。図３中、図２で説明した構成要素と同一又は類似する要素には同一の符号を付し、その説明は省略する。
【００５６】
図３に示すように、制御部を構成するＣＰＵ１００から出力されたデジタル信号（矩形パルス信号）は、平滑及びゲイン調整回路１０２、１１２を介して、アナログ波形信号に変換された後、パルス化変調回路４２、５２に入力される。なお、三角波信号は、図示せぬ三角波生成回路によって生成され、パルス化変調回路４２、５２に入力される。
【００５７】
また、ＣＰＵ１００から出力されたデジタル信号は、遅延回路１２０を駆動波形生成回路２８に入力される。駆動波形生成回路２８に入力されたデジタル信号は、駆動波形生成回路２８内のＤ／Ａ変換器にてアナログ波形信号に変換された後、増幅回路３２に入力される。
【００５８】
１つのＣＰＵ１００は、複数のヘッドモジュールの制御を担い、複数のヘッドモジュールにそれぞれ対応した駆動回路及び予備電源回路に対して駆動制御に必要な上述のデジタル信号を提供するとともに、各ヘッドモジュールのスイッチ素子６２（図２参照）を制御するための画像データを提供する。
【００５９】
図４は、図３で説明した予備電源生成回路の変形例である。図３の構成に代えて、図４の回路構成を採用することも可能である。図４中、図３で説明した構成要素と同一又は類似する要素には同一の符号を付し、その説明は省略する。
【００６０】
図３で説明した平滑及びゲイン調整回路１０２、１１２とパルス化変調回路４２、５２とを組み合わせた回路部分を、図４のように、ゲイン調整回路１３２、１４２で置き換える構成も可能である。図４の回路例において、ＣＰＵ１００から出力されたデジタル信号はゲイン調整回路１３２、１４２によってゲイン調整された後、ゲートドライバ回路４４に入力される。
【００６１】
図１乃至図４で説明した実施形態によれば、インクジェットヘッド１０のヘッドモジュール１２Ａ〜１２Ｄ毎に設けた駆動回路２２Ａ〜２２Ｄについて、各駆動回路２２Ａ〜２２Ｄ毎に（モジュール単位で）、予備電源回路（Ｄ級アンプ電源回路２４Ａ〜２４Ｄ）を設置し、それぞれの予備電源回路から電源電圧を供給する構成を採用したため、供給電源を安定化させることができる。また、モジュール毎に適切な駆動波形を設定することができ、モジュール間の特性のバラツキを是正した良好な出力画質を得ることができる。
【００６２】
更に、本実施形態によれば、駆動回路２２Ａ〜２２Ｄの出力段プッシュプル回路を構成するトランジスタＴｒ１、Ｔｒ２のコレクタにそれぞれ供給する電位を調整し、充電元電位予備信号と、圧電アクチュエータに印加（充電）する駆動電圧信号との電位差を小さくできるとともに、放電先電位予備調整信号と、圧電アクチュエータから放電する駆動電圧信号との電位差を小さくすることができ、消費電力を低減することが可能である。
【００６３】
＜「ヘッドモジュール」と「ブロック」の概念について＞
図１乃至図４の例では説明を簡単にするために、１つのヘッドモジュール（サブヘッド）に対して１つの駆動回路を設けたが、１つのヘッドモジュール（サブヘッド）に対して、複数の駆動回路が設置される形態も可能である。例えば、１つのサブヘッドにおける吐出素子群（ヘッド素子群）が幾つかの吐出素子群のグループ（駆動ブロック）に分割され、ブロック毎に駆動回路が設けられる形態も可能である。
【００６４】
１つのサブヘッドに形成されている吐出素子群をｎ個（ただし、ｎは、ｎ≧１の整数）の素子グループ（駆動ブロック）に分けて、ブロック毎に駆動回路を設ける場合、この回路的に分かれた素子群の「ブロック」を「モジュール」として取り扱うことができる。
【００６５】
このようなｎ個のブロック（ノズル群）にグループ分けされたサブヘッドをＭ個（ただし、Ｍは、Ｍ≧２の整数）用い、これらＭ個のサブヘッドを用紙幅に並べて長尺化したヘッドにおいては、Ｍ×ｎ個のブロックを有しており、Ｍ×ｎ個のブロック毎に駆動回路が設けられる。つまり、Ｍ×ｎ個の駆動回路を有する構成となり、これら駆動回路毎に予備電源回路が設けられる。図１乃至図４の実施形態で説明した「ヘッドモジュール毎」という表現は、「ブロック毎」という概念に置き換えて適用することができる。
【００６６】
＜第２実施形態＞
図５は本発明の第２実施形態に係る液体吐出ヘッドの駆動装置が適用された液体吐出装置の構成を示すブロック図である。図５中、図１乃至図３で説明した例と同一又は類似する構成には同一の符号を付し、その説明は省略する。
【００６７】
図５に示す第２実施形態は、図１乃至図３で説明した第１実施形態と比較して、予備電源回路（Ｄ級アンプ電源回路）のパルス化変調回路４２、５２及びゲートドライバ回路４４、５４が共通化されている点で第１実施形態と異なる。
【００６８】
ヘッドモジュール毎に（ブロック毎）に設けられる予備電源回路（Ｄ級アンプ電源回路）の電位を個々に調整する必要がない場合には、図５のように、パルス化変調回路４２、５２、及びゲートドライバ回路４４、５４を共通化することにより、回路部品を削減することができる。
【００６９】
すなわち、図２で説明した第１のＤ級アンプ電源回路２４_Ｈ、第２のＤ級アンプ電源回路２４_Ｌに代えて、図５に示すデジタル電力増幅回路４６及び平滑回路４８からなる第１の予備電源回路２５_Ｈと、デジタル電力増幅回路５６及び平滑回路５８からなる第２の予備電源回路２５_Ｌとをモジュール毎に設置する。
【００７０】
ゲートドライバ回路４４から出力されるパルス変調信号は、モジュール毎に設けられた第１の予備電源回路２５_Ｈのデジタル電力増幅回路４６を構成するトランジスタＴｒ３、Ｔｒ４のゲートに対して共通に供給される。
【００７１】
また、ゲートドライバ回路５４から出力されるパルス変調信号は、モジュール毎に設けられた第２の予備電源回路２５_Ｌのデジタル電力増幅回路５６を構成するトランジスタＴｒ５，Ｔｒ６のゲートに対して共通に供給される。
【００７２】
図５では、モジュール毎に駆動波形生成回路２８を具備する構成を示したが、図１で説明したように、駆動波形生成回路２８をモジュール間（ブロック間）で共通化する構成も可能である。
【００７３】
モジュール毎に駆動回路を設ける利点として、例えば、ヘッドモジュールの位置的な条件の違いによりインクの供給状態（能力）にバラツキが発生し、これに起因して吐出特性が異なってしまう場合、モジュール毎に駆動波形を生成することにより、この補正が可能となる。
【００７４】
＜第３実施形態＞
図６は本発明の第３実施形態に係る液体吐出ヘッドの駆動装置が適用された液体吐出装置のブロック図である。図６中、図１乃至図５で説明した例と同一又は類似する構成には同一の符号を付し、その説明は省略する。
【００７５】
図６に示す形態は、図２及び図３で説明した変調回路（４２、５２）、ゲートドライバ回路（４４、５４）、デジタル電力増幅回路（４６、５６）及び平滑回路（４８、５８）から成る予備電源部の回路構成に代えて、ＤＣ／ＤＣコンバータを使用したものである。
【００７６】
インクジェットヘッド１０を構成する複数のヘッドジュール（又はブロック）１２_１〜１２_ｎに対して、モジュール毎（ブロック毎）に駆動回路２２_１〜２２_ｎが設けられる。各駆動回路２２_ｋ（ただし、ｋ＝１，２，・・・ｎ）は、増幅回路３２_ｋと、電力増幅回路３４_ｋとを含み、トランジスタＴｒ１_ｋのコレクタにはＤＣ／ＤＣコンバータ８２_ｋが接続される。また、トランジスタＴｒ２_ｋのコレクタにはＤＣ／ＤＣコンバータ８３_ｋが接続される。各ＤＣ／ＤＣコンバータ８２_ｋ、８３_ｋは、図１で説明した供給ＤＣ電源１６に接続されている。ＤＣ／ＤＣコンバータ（８２_ｋ、８３_ｋ）は、Ｄ級アンプ電源回路に比べて多くの電流を取り出すことができるという利点がある。
【００７７】
図６では、モジュール毎に駆動波形生成回路２８を具備する構成を示したが、図１で説明したように、駆動波形生成回路２８をモジュール間（ブロック間）で共通化する構成も可能である。
【００７８】
＜第１〜第３実施形態による他の作用効果＞
上述した各実施形態は以下のような作用効果を奏する。
【００７９】
（１）多数の吐出素子が配列されたラインヘッドや、サブヘッド（ヘッドモジュール）を複数使用する構成において、ヘッドモジュール単位、或いは、ブロック単位で駆動回路別に予備電源回路を設けて、モジュール単位、或いはブロック単位で吐出素子を駆動する電力を供給するため、電源容量の不足を解消でき、供給電源の安定化を達成できる。これにより、圧電アクチュエータに供給される駆動電圧波形の変動（ノイズ発生）を防止できる。
【００８０】
（２）ヘッドモジュール毎、或いはブロック毎に対応して設けられた各駆動回路に電力を供給する予備電源回路を、各駆動回路の直近に配置することが可能であり、モジュール毎（ブロック毎）に電源電圧を最適に設定できる。このため、従来の構成と比較して、消費電力及び発熱をより一層低減することができる。
【００８１】
（３）ヘッドモジュール単位、或いは、回路的に分かれたブロック単位で吐出特性のバラツキを補正することにより、吐出安定性を改善できる。
【００８２】
（４）予備電源回路を含めた駆動回路を、ヘッドモジュールの直近に配置することが可能である。これにより、駆動回路からアクチュエータまで駆動電圧信号を伝送する配線ラインを比較的短い距離にすることが可能であり、配線ラインによる電圧降下や配線ラインからのノイズの重畳を低減することができる。その結果、駆動電源を安定供給できる（ノイズレベルを低減できる）。
【００８３】
（５）第２実施形態で説明したように、予備電源回路における変調回路を共通化し、各ヘッドモジュール、或いはブロックの直近に復調回路（デジタル電力増幅回路）と平滑回路を配置することにより、部品点数を削減できる。また、電流容量を大きくできる。
【００８４】
＜インクジェット記録装置への適用例＞
上述した本発明の実施形態による液体吐出ヘッドの駆動装置を適用したインクジェット記録装置の例を説明する。
【００８５】
図７は本発明の実施形態に係るインクジェット記録装置６００の構成図である。このインクジェット記録装置６００は、描画部６１６の圧胴（描画ドラム６７０）に保持された記録媒体１２４（便宜上「用紙」と呼ぶ場合がある。）にインクジェットヘッド６７２Ｍ，６７２Ｋ，６７２Ｃ，６７２Ｙから複数色のインクを打滴して所望のカラー画像を形成する圧胴直描方式のインクジェット記録装置であり、インクの打滴前に記録媒体６２４上に処理液（ここでは凝集処理液）を付与し、処理液とインク液を反応させて記録媒体６２４上に画像形成を行う２液反応（凝集）方式が適用されたオンデマンドタイプの画像形成装置である。
【００８６】
図示のように、インクジェット記録装置６００は、主として、給紙部６１２、処理液付与部６１４、描画部６１６、乾燥部６１８、定着部６２０、及び排紙部６２２を備えて構成される。
【００８７】
（給紙部）
給紙部６１２には、給紙トレイ６５０が設けられ、この給紙トレイ６５０から記録媒体６２４が一枚ずつ処理液付与部６１４に給紙される。本例では、記録媒体６２４として、枚葉紙（カット紙）を用いるが、連続用紙（ロール紙）から必要なサイズに切断して給紙する構成も可能である。
【００８８】
（処理液付与部）
処理液付与部６１４は、記録媒体６２４の記録面に処理液を付与する機構である。処理液は、描画部６１６で付与されるインク中の色材（本例では顔料）を凝集させる色材凝集剤を含んでおり、この処理液とインクとが接触することによって、インクは色材と溶媒との分離が促進される。
【００８９】
処理液付与部６１４は、給紙胴６５２、処理液ドラム６５４、及び処理液塗布装置６５６を備えている。処理液ドラム６５４は、その外周面に爪形状の保持手段（グリッパー）６５５を備え、記録媒体６２４の先端を保持できるようになっている。
【００９０】
処理液塗布装置６５６は、処理液が貯留された処理液容器と、この処理液容器の処理液に一部が浸漬されたアニックスローラと、アニックスローラと処理液ドラム６５４上の記録媒体６２４に圧接されて計量後の処理液を記録媒体６２４に転移するゴムローラとで構成される。この処理液塗布装置６５６によれば、処理液を計量しながら記録媒体６２４に塗布することができる。ローラによる塗布方式に代えて、スプレー方式、インクジェット方式などの各種方式を適用することも可能である。
【００９１】
処理液付与部６１４で処理液が付与された記録媒体６２４は、処理液ドラム６５４から中間搬送部６２６を介して描画部６１６の描画ドラム６７０へ受け渡される。
【００９２】
（描画部）
描画部６１６は、描画ドラム６７０、用紙抑えローラ６７４、及びインクジェットヘッド６７２Ｍ，６７２Ｋ，６７２Ｃ，６７２Ｙを備えている。描画ドラム６７０は、処理液ドラム６５４と同様に、その外周面に爪形状の保持手段（グリッパー）６７１を備える。描画ドラム６７０に固定された記録媒体６２４にインクジェットヘッド６７２Ｍ，６７２Ｋ，６７２Ｃ，６７２Ｙからインクが付与される。
【００９３】
インクジェットヘッド６７２Ｍ，６７２Ｋ，６７２Ｃ，６７２Ｙは、それぞれ、記録媒体６２４における画像形成領域の最大幅に対応する長さを有するフルライン型のインクジェット方式の記録ヘッドであり、そのインク吐出面には、画像形成領域の全幅にわたってインク吐出用のノズルが複数配列されたノズル列が形成されている。なお、シングルパス印字用のフルライン型プリントヘッドは、記録媒体６２４の全面を描画範囲とする場合に限らず、記録媒体６２４の面上の一部が描画領域となっている場合（例えば、用紙の周囲に非描画領域（余白部）を設ける場合など）には、所定の描画領域内の描画に必要なノズル列が形成されていればよい。
【００９４】
各インクジェットヘッド６７２Ｍ，６７２Ｋ，６７２Ｃ，６７２Ｙは、記録媒体６２４の搬送方向（描画ドラム６７０の回転方向）と直交する方向に延在するように設置される。
【００９５】
描画ドラム６７０上に密着保持された記録媒体６２４の記録面に向かって各インクジェットヘッド６７２Ｍ，６７２Ｋ，６７２Ｃ，６７２Ｙから、対応する色インクの液滴が吐出されることにより、予め記録面に付与された処理液にインクが接触し、インク中に分散する色材（顔料）が凝集され、色材凝集体が形成される。これにより、記録媒体６２４上での色材流れなどが防止され、記録媒体６２４の記録面に画像が形成される。
【００９６】
描画部６１６で画像が形成された記録媒体６２４は、描画ドラム６７０から中間搬送部６２８を介して乾燥部６１８の乾燥ドラム６７６へ受け渡される。
本例では、ＣＭＹＫの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００９７】
（乾燥部）
乾燥部６１８は、色材凝集作用により分離された溶媒に含まれる水分を乾燥させる機構であり、乾燥ドラム６７６、及び溶媒乾燥装置６７８を備えている。
【００９８】
乾燥ドラム６７６は、その外周面に爪形状の保持手段（グリッパー）６７７を備え、この保持手段６７７によって記録媒体６２４の先端を保持できるようになっている。
【００９９】
溶媒乾燥装置６７８は、複数のハロゲンヒータ６８０と、各ハロゲンヒータ６８０の間にそれぞれ配置された温風噴出しノズル６８２とで構成される。乾燥部６１８で乾燥処理が行われた記録媒体６２４は、乾燥ドラム６７６から中間搬送部６３０を介して定着部６２０の定着ドラム６８４へ受け渡される。
【０１００】
（定着部）
定着部６２０は、定着ドラム６８４、ハロゲンヒータ６８６、定着ローラ６８８、及びインラインセンサ６９０で構成される。定着ドラム６８４は、その外周面に爪形状の保持手段（グリッパー）６８５を備え、この保持手段６８５によって記録媒体６２４の先端を保持できるようになっている。
【０１０１】
定着ドラム６８４の回転により、記録媒体６２４の記録面に対して、ハロゲンヒータ６８６による予備加熱と、定着ローラ６８８による定着処理と、インラインセンサ６９０による検査が行われる。
【０１０２】
定着ローラ６８８は、乾燥させたインクを加熱加圧することによってインク中の自己分散性ポリマー微粒子を溶着し、インクを被膜化させるためのローラ部材であり、記録媒体６２４を加熱加圧するように構成される。具体的には、定着ローラ６８８は、定着ドラム６８４に対して圧接するように配置されており、定着ドラム６８４との間でニップローラを構成するようになっている。
【０１０３】
なお、高沸点溶媒及びポリマー微粒子（熱可塑性樹脂粒子）を含んだインクに代えて、紫外線（ＵＶ）露光にて重合硬化可能なモノマー成分を含有していてもよい。この場合、インクジェット記録装置６００は、ヒートローラによる熱圧定着部（定着ローラ６８８）の代わりに、記録媒体６２４上のインクにＵＶ光を露光するＵＶ露光部を備える。このように、ＵＶ硬化性樹脂などの活性光線硬化性樹脂を含んだインクを用いる場合には、加熱定着の定着ローラ１８８に代えて、ＵＶランプや紫外線ＬＤ（レーザダイオード）アレイなど、活性光線を照射する手段が設けられる。
【０１０４】
インラインセンサ６９０は、記録媒体６２４に記録された画像（テストパターンなども含む）について、吐出不良チェックパターンや画像の濃度、画像の欠陥などを計測するための読取手段であり、ＣＣＤラインセンサなどが適用される。
【０１０５】
（排紙部）
排紙部６２２は、排出トレイ６９２を備えており、この排出トレイ６９２と定着部６２０の定着ドラム６８４との間に、これらに対接するように渡し胴６９４、搬送ベルト６９６、張架ローラ６９８が設けられている。記録媒体６２４は、渡し胴６９４により搬送ベルト６９６に送られ、排出トレイ６９２に排出される。搬送ベルト６９６による用紙搬送機構の詳細は図示しないが、印刷後の記録媒体６２４は無端状の搬送ベルト６９６間に渡されたバー（不図示）のグリッパーによって用紙先端部が保持され、搬送ベルト６９６の回転によって排出トレイ６９２の上方に運ばれてくる。
【０１０６】
また、図には示されていないが、本例のインクジェット記録装置６００には、上記構成の他、各インクジェットヘッド６７２Ｍ，６７２Ｋ，６７２Ｃ，６７２Ｙにインクを供給するインク貯蔵／装填部、処理液付与部６１４に対して処理液を供給する手段を備えるとともに、各インクジェットヘッド６７２Ｍ，６７２Ｋ，６７２Ｃ，６７２Ｙのクリーニング（ノズル面のワイピング、パージ、ノズル吸引等）を行うヘッドメンテナンス部や、用紙搬送路上における記録媒体６２４の位置を検出する位置検出センサ、装置各部の温度を検出する温度センサなどを備えている。
【０１０７】
＜ヘッドの構成例＞
図８は、インクジェットヘッドの構成例を示す斜視図である。図７で説明した色別のインクジェットヘッド６７２Ｍ，６７２Ｋ，６７２Ｃ，６７２Ｙの構造は共通しているので、以下、これらを代表して符号７００によってヘッドを示すものとする。
【０１０８】
図示のインクジェットヘッド７００は、ヘッドモジュール７１２を用紙幅に沿って複数個（ここでは１７個を例示）並べて繋ぎ合わせた構成となっている。各ヘッドモジュール７１２は図１等で説明したヘッドモジュール１２Ａ〜１２Ｄに相当している。図８において、符号７１４は、ヘッドモジュール７１２を固定するための枠体となるハウジング、符号７１６は、各ヘッドモジュール７１２に接続されたフレキシブル基板である。各ヘッドモジュール７１２の圧電アクチュエータはフレキシブル基板を介して対応する駆動回路と電気的に接続される。
【０１０９】
図９は、１つのヘッドモジュール７１２におけるノズル面の平面図（吐出側から見た図）である。図９ではノズル数を省略して描いているが、１個のヘッドモジュール７１２のインク吐出面には、例えば、３２×６４個のノズル７５１が２次元配列されている。図７においてＹ方向が記録媒体の送り方向（副走査方向）であり、Ｘ方向は記録媒体の幅方向（主走査方向）である。このヘッドモジュール７１２は、Ｘ方向に対して角度γの傾きを有するｖ方向に沿った長辺側の端面と、Ｙ方向に対して角度αの傾きを持つｗ方向に沿った短辺側の端面とを有する平行四辺形の平面形状となっている。図９に示すヘッドモジュール７１２を図８のように、ｘ方向（用紙幅方向）に複数個繋ぎ合わせることにより、フルライン型のヘッド（シングルパス・ページワイドヘッド）が構成される。
【０１１０】
図１０は、ノズルに対応したインク室ユニット（液滴吐出素子）の拡大平面透視図であり、図１１は、記録素子単位となる１チャンネル分の液滴吐出素子の立体的構造を示す断面図（図１０中のＡ−Ａ線に沿う断面図）である。
【０１１１】
ヘッドモジュール７１２には、インク吐出口であるノズル７５１と、各ノズル７５１に対応する圧力室７５２等からなる複数のインク室ユニット（液滴吐出素子）７５３が多数配列されている。圧力室７５２は、その平面形状が概略正方形となっており（図１０参照）、対角線上の両隅部の一方にノズル７５１への流出口が設けられ、他方に供給インクの流入口（供給口）７５４が設けられている。なお、圧力室７５２の形状は、本例に限定されず、平面形状が四角形（菱形、長方形など）、五角形、六角形その他の多角形、円形、楕円形など、多様な形態があり得る。
【０１１２】
図１１に示すように、ヘッドモジュール７１２は、ノズル７５１が形成されたノズルプレート７５１Ａと圧力室７５２や共通流路７５５等の流路が形成された流路板７５２Ｐ等を積層接合した構造から成る。ノズルプレート７５１Ａは、ヘッドモジュール７１２のノズル面（インク吐出面）７５０Ａを構成し、各圧力室７５２にそれぞれ連通する複数のノズル７５１が２次元的に形成されている。
【０１１３】
流路板７５２Ｐは、圧力室７５２の側壁部を構成するとともに、共通流路７５５から圧力室７５２にインクを導く個別供給路の絞り部（最狭窄部）としての供給口７５４を形成する流路形成部材である。ノズルプレート７５１Ａ及び流路板７５２Ｐは、シリコンを材料として半導体製造プロセスによって所要の形状に加工することが可能である。
【０１１４】
共通流路７５５はインク供給源たるインクタンク（不図示）と連通しており、インクタンクから供給されるインクは共通流路７５５を介して各圧力室７５２に供給される。
【０１１５】
圧力室７５２の一部の面（図１１において天面）を構成する振動板７５６には、個別電極７５７を備えた圧電アクチュエータ７５８が接合されている。本例の振動板７５６は、圧電アクチュエータ７５８の下部電極に相当する共通電極７５９として機能するニッケル（Ｎｉ）導電層付きのシリコン（Ｓｉ）から成り、各圧力室７５２に対応して配置される圧電アクチュエータ７５８の共通電極を兼ねる。なお、樹脂などの非導電性材料によって振動板を形成する態様も可能であり、この場合は、振動板部材の表面に金属などの導電材料による共通電極層が形成される。また、ステンレス鋼（ＳＵＳ）など、金属（導電性材料）によって共通電極を兼ねる振動板を構成してもよい。
【０１１６】
個別電極７５７に駆動電圧を印加することによって圧電アクチュエータ７５８が変形して圧力室７５２の容積が変化し、これに伴う圧力変化によりノズル７５１からインクが吐出される。インク吐出後、圧電アクチュエータ７５８が元の状態に戻る際、共通流路７５５から供給口７５４を通って新しいインクが圧力室７５２に再充填される。
【０１１７】
図１２は、ヘッドモジュールにおける圧電アクチュエータの個別電極の配線パターンを模式的に描いた平面図である。なお、図１２では図示の便宜上、圧電アクチュエータの個数を減らして描いてある。図１２に示すように、ヘッドモジュール７１２は、圧電アクチュエータの配置位置によって信号線の引き出し方向が異なる。図１２の下側半分の領域（「第１のブロック」という。）に属する圧電アクチュエータの個別電極７５７Ａは図１２の下側のモジュール端面に向かって引き出し電極（配線パターン）８０２Ａが形成される。図１２の上側半分の領域（「第２のブロック」という。）に属する圧電アクチュエータの個別電極７５７Ｂは図１２の上側のモジュール端面に向かって引き出し電極（配線パターン）８０２Ｂが形成される。第１のブロック、第２のブロックのブロック毎に、駆動回路及び予備電源回路が設けられる。
【０１１８】
図１３は、上記の第１のブロック及び第２のブロックとして区分けされた２つのノズル群をノズル面側から説明した図である。図１３において上段に示したブロック（符号Ａで示したハーフモジュール）を下流側ハーフモジュールと呼び、下段に示したブロック（符号Ｂで示したハーフモジュール）を上流側ハーフモジュールと呼ぶ。
【０１１９】
これら各ハーフモジュール（ブロック）が、図１〜図６で説明したヘッドモジュール１２Ａ〜１２Ｄ、１２_１〜１２_ｎに相当するものとなる。すなわち、図８のインクジェットヘッド７００では、２分割ハーフモジュールのサブヘッドを１７個用いているため、１７×２＝３４のブロック（ハーフモジュール）に対応して、ブロック単位（ハーフモジュール単位）で３４個の駆動回路が設置され、これら各駆動回路に対して予備電源回路が設けられる。
【０１２０】
本実施形態における上流側ハーフモジュールＡと、下流側ハーフモジュールＢは、同一色のインクを吐出するものであるが、上流側ハーフモジュールＡと、下流側ハーフモジュールＢとで異なる色のインクを吐出させる構成も可能である。また、図１２、図１３では、１つのヘッドモジュール７１２を２つのノズル群に分けているが、３つ以上のノズル群（ブロック）に分けることも可能である。
【０１２１】
＜制御系の説明＞
図１４は、インクジェット記録装置６００のシステム構成を示す要部ブロック図である。インクジェット記録装置６００は、通信インターフェース７７０、システムコントローラ７７２、メモリ７７４、モータドライバ７７６、ヒータドライバ７７８、プリント制御部７８０、画像バッファメモリ７８２、ヘッドドライバ７８４等を備えている。
【０１２２】
通信インターフェース７７０は、ホストコンピュータ７８６から送られてくる画像データを受信するインターフェース部である。通信インターフェース７７０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ７８６から送出された画像データは通信インターフェース７７０を介してインクジェット記録装置６００に取り込まれ、一旦メモリ７７４に記憶される。
【０１２３】
メモリ７７４は、通信インターフェース７７０を介して入力された画像を一旦格納する記憶手段であり、システムコントローラ７７２を通じてデータの読み書きが行われる。メモリ７７４は、半導体素子からなるメモリに限らず、ハードディスクなど磁気媒体を用いてもよい。
【０１２４】
システムコントローラ７７２は、中央演算処理装置（ＣＰＵ）及びその周辺回路等から構成され、所定のプログラムに従ってインクジェット記録装置６００の全体を制御する制御装置として機能するとともに、各種演算を行う演算装置として機能する。ＲＯＭ７９０には各種制御プログラムや各種のパラメータ、駆動波形データ等が格納されており、システムコントローラ７７２の指令に応じて、制御プログラムが読み出され、実行される。
【０１２５】
メモリ７７４は、画像データの一時記憶領域として利用されるとともに、プログラムの展開領域及びＣＰＵの演算作業領域としても利用される。
【０１２６】
モータドライバ７７６は、システムコントローラ７７２からの指示に従ってモータ７８８を駆動するドライバである。図１４では、装置内の各部に配置される様々なモータを代表して符号７８８で図示している。
【０１２７】
ヒータドライバ７７８は、システムコントローラ７７２からの指示に従って、ヒータ７８９を駆動するドライバである。図１４では、装置内の各部に配置される様々なヒータを代表して符号７８９で図示している。
【０１２８】
プリント制御部７８０は、システムコントローラ７７２の制御に従い、メモリ７７４内の画像データから印字制御用の信号を生成するための各種加工、補正などの処理を行う信号処理機能を有し、生成した印字データ（ドット画像データ）をヘッドドライバ７８４に供給する制御部である。
【０１２９】
ドット画像データは、入力された多階調の画像データに対して色変換処理、ハーフトーン処理を行って生成される。色変換処理は、ｓＲＧＢなどで表現された画像データ（例えば、ＲＧＢ各色について８ビットの画像データ）をインクジェット記録装置６００で使用するインクの各色の色データ（本例では、ＫＣＭＹの色データ）に変換する処理である。
【０１３０】
ハーフトーン処理は、色変換処理により生成された各色の色データに対して、誤差拡散法で各色のドットデータ（本例では、ＫＣＭＹのドットデータ）に変換する処理である。
【０１３１】
プリント制御部７８０において所要の信号処理が施され、得られたドットデータに基づいて、ヘッドドライバ７８４を介してヘッド７００（図７のインクジェットヘッド６７２Ｍ，６７２Ｋ，６７２Ｃ，６７２Ｙを代表して符号７００とした）のインク液滴の吐出量や吐出タイミングの制御が行われる。これにより、所望のドットサイズやドット配置が実現される。
【０１３２】
プリント制御部７８０には画像バッファメモリ７８２が備えられており、プリント制御部７８０における画像データ処理時に画像データやパラメータなどのデータが画像バッファメモリ７８２に一時的に格納される。また、プリント制御部７８０とシステムコントローラ７７２とを統合して１つのプロセッサで構成する態様も可能である。
【０１３３】
ヘッドドライバ７８４には、ヘッド７００の駆動条件を一定に保つためのフィードバック制御系を含んでいてもよい。
【０１３４】
本例に示すインクジェット記録装置６００は、ヘッド７００の各圧電アクチュエータに対して、ヘッドモジュールのブロック単位で共通の駆動電圧信号を供給し、各ノズルの吐出タイミングに応じて、該当する圧電アクチュエータの個別電極に接続されたスイッチ素子（不図示）のオンオフを切り換えることで、所望のノズル７１５からインクを吐出させる駆動方式が採用されている。
【０１３５】
図１４に示したヘッドドライバ７８４は、図１〜図６で説明した駆動回路（２２Ａ〜２２Ｄ、予備電源回路（２４Ａ〜２４Ｈ、２５_Ｈ、２５_Ｌ、８２_ｋ、８３_ｋ）に相当する。
【０１３６】
＜変形例１＞
本発明の実施に際してヘッドモジュール７１２におけるノズル７５１の配列形態は図９の例に限定されず、様々なノズル配置構造を適用できる。例えば、図９で説明したマトリクス配列に代えて、一列の直線配列、Ｖ字状のノズル配列、Ｖ字状配列を繰り返し単位とするジグザク状（Ｗ字状など）のような折れ線状のノズル配列なども可能である。
【０１３７】
なお、インクジェットヘッドにおける各ノズルから液滴を吐出させるための吐出用の圧力（吐出エネルギー）を発生させる手段は、ピエゾアクチュエータ（圧電素子）に限らず、サーマル方式（ヒータの加熱による膜沸騰の圧力を利用してインクを吐出させる方式）におけるヒータ（加熱素子）や静電アクチュエータその他方式による各種アクチュエータなど様々な圧力発生素子（エネルギー発生素子）を適用し得る。ヘッドの吐出方式に応じて、相応のエネルギー発生素子が流路構造体に設けられる。
【０１３８】
＜変形例２＞
また、本発明の適用範囲はライン型ヘッドによるシングルパス印字方式に限定されず、記録媒体の幅方向（主走査方向）の長さに満たない短尺のヘッドを記録媒体の幅方向に走査させて印字を行う方式を適用してもよい。
【０１３９】
＜変形例３＞
上記実施形態では、記録媒体に直接インク滴を打滴して画像を形成する方式（直接記録方式）のインクジェット記録装置を説明したが、本発明の適用範囲はこれに限定されず、一旦、中間転写体上に画像（一次画像）を形成し、その画像を転写部において記録紙に対して転写することで最終的な画像形成を行う中間転写型の画像形成装置についても本発明を適用することができる。この場合、中間転写体が「記録媒体」と解釈される。
【０１４０】
＜ヘッドと用紙を相対移動させる手段について＞
上述の実施形態では、停止したヘッドに対して記録媒体を搬送する構成を例示したが、本発明の実施に際しては、停止した記録媒体（被描画媒体）に対してヘッドを移動させる構成も可能である。
【０１４１】
＜装置応用例＞
上述の実施形態では、画像記録装置の一例としてインクジェット印刷機（記録装置）を例示したが、本発明の適用範囲はこれに限定されない。本発明は、グラフフィック印刷用途に限らず、電子回路基板の配線パターンを描画する配線描画装置、各種デバイスの製造装置、吐出用の機能性液体（「インク」に相当）として樹脂液を用いるレジスト印刷装置、微細構造物形成装置など、各種の画像パターンを形成し得る様々なインクジェットシステム（画像記録装置）に適用可能である。
【符号の説明】
【０１４２】
１０…インクジェットヘッド、１２Ａ，１２Ｂ，１２Ｃ，１２Ｄ…ヘッドモジュール、２０…ヘッド駆動装置、２２Ａ，２２Ｂ，２２Ｃ，２２Ｄ…駆動回路、２４Ａ，２４Ｂ，２４Ｃ，２４Ｄ…Ｄ級アンプ電源回路、２６…供給ＤＣ電源、２８…駆動波形生成回路、３４…電力増幅回路、４２…パルス化変調回路、４４…ゲートドライバ回路、４６…デジタル電力増幅回路、４８…平滑回路、５２…パルス化変調回路、５４…ゲートドライバ回路、５６…デジタル電力増幅回路、５８…平滑回路、６０…スイッチＩＣ、６２…スイッチ素子、７０…圧電アクチュエータ、７２…個別電極、８２_1〜８２_ｎ…ＤＣ／ＤＣコンバータ、８３_1〜８３_ｎ…ＤＣ／ＤＣコンバータ、６００…インクジェット記録装置、６２４…記録媒体、６７２Ｍ，６７２Ｋ，６７２Ｃ，６７２Ｙ…インクジェットヘッド、７００…ヘッド、７１２…ヘッドモジュール、７５１…ノズル、７５２…圧力室、７５８…圧電アクチュエータ
【図１】
0005638320.tif 000002
【図２】
0005638320.tif 000003
【図３】
0005638320.tif 000004
【図４】
0005638320.tif 000005
【図５】
0005638320.tif 000006
【図６】
0005638320.tif 000007
【図７】
0005638320.tif 000008
【図８】
0005638320.tif 000009
【図９】
0005638320.tif 000010
【図１０】
0005638320.tif 000011
【図１１】
0005638320.tif 000012
【図１２】
0005638320.tif 000013
【図１３】
0005638320.tif 000014
【図１４】
0005638320.tif 000015